(57)【要約】【課題】周波数帯域を複数の無線通信端末で共有している場合であっても、正常にＨ−ＡＲＱを機能させる。【解決手段】無線通信装置間で１つ又は複数の通信チャネルを用いて時分割多重通信方式でパケット通信を行う無線通信システムにおいて、受信したパケットに誤りが含まれることを検出し再送信を要求する再送要求手段と、前記再送信の要求を検出する再送要求検出手段と、前記再送要求検出手段が検出した前記再送信の要求に応じてパケットを再送するパケット再送手段と、前記パケット再送手段が前記パケットを再送信する際に、誤りが含まれていた前記受信したパケットが使用した通信チャネルとは異なる通信チャネルを用いて再送信を行うよう前記通信チャネルを割り当てるチャネル割当手段とを備える。【選択図】図３
2008067172.tif 000002
【特許請求の範囲】
【請求項１】
無線通信装置間で１つ又は複数の通信チャネルを用いて時分割多重通信方式でパケット通信を行う無線通信システムにおいて、
受信したパケットに誤りが含まれることを検出し再送信を要求する再送要求手段と、
前記再送信の要求を検出する再送要求検出手段と、
前記再送要求検出手段が検出した前記再送信の要求に応じてパケットを再送するパケット再送手段と、
前記パケット再送手段が前記パケットを再送信する際に、誤りが含まれていた前記受信したパケットが使用した通信チャネルとは異なる通信チャネルを用いて再送信を行うよう前記通信チャネルを割り当てるチャネル割当手段と、
を備えることを特徴とする無線通信システム。
【請求項２】
前記通信チャネルは、
通信に用いる周波数帯域を複数のサブキャリアからなるサブチャネル単位で取り扱うＯＦＤＭＡ方式に用いるサブチャネルであること
を特徴とする請求項１に記載の無線通信システム。
【請求項３】
前記チャネル割当手段は、
前記パケット再送手段が前記パケットを再送信する際に、
誤りが含まれていた前記受信したパケットが使用したサブチャネル数と同一の数のサブチャネルを新たに割り当てる
ことを特徴とする請求項２に記載の無線通信システム。
【請求項４】
前記チャネル割当手段は、
前記パケット再送手段が前記パケットを再送信する際に、
誤りが含まれていた前記受信したパケットが使用したサブチャネル数と同一の数のサブチャネルを新たに割り当て、かつ
誤りが含まれていた前記受信したパケットが使用したサブチャネルとは異なるサブチャネルを少なくとも１つ割り当てる
ことを特徴とする請求項３に記載の無線通信システム。
【請求項５】
無線通信装置間で周波数帯域を適応的に割り当てるマルチキャリア通信方式を用いて時分割多重通信方式でパケット通信を行う無線通信システムにおいて、
受信したパケットに誤りが含まれることを検出し再送信を要求する再送要求手段と、
前記再送信の要求を検出する再送要求検出手段と、
前記再送要求検出手段が検出した前記再送信の要求に応じてパケットを再送するパケット再送手段と、
前記パケット再送手段が前記パケットを再送信する際に、誤りが含まれていた前記受信したパケットが使用した周波数帯域幅と同じ周波数帯域幅を用いて再送信を行うよう前記周波数帯域を割り当てる帯域割当手段と、
を備えることを特徴とする無線通信システム。
【請求項６】
無線通信端末に対し１つ又は複数の通信チャネルを用いて時分割多重通信方式でパケット通信を行う基地局装置において、
前記無線通信端末が要求する再送要求を検出する再送要求検出手段と、
前記再送要求検出手段が検出した再送要求に応じてパケットを再送するパケット再送手段と、
前記パケット再送手段が前記パケットを再送信する際に、再送信されるパケットと同一のパケットが以前に使用した通信チャネルとは異なる通信チャネルを用いて再送信を行うよう通信チャネルを割り当てるチャネル割当手段と、
を備えることを特徴とする基地局装置。
【請求項７】
前記通信チャネルは、
通信に用いる周波数帯域を複数のサブキャリアからなるサブチャネル単位で取り扱うＯＦＤＭＡ方式に用いるサブチャネルであること
を特徴とする請求項６に記載の基地局装置。
【請求項８】
前記チャネル割当手段は、
前記パケット再送手段が前記パケットを再送信する際に、
再送信されるパケットと同一のパケットが以前に使用したサブチャネル数と同一の数のサブチャネルを新たに割り当てる
ことを特徴とする請求項７に記載の基地局装置。
【請求項９】
前記チャネル割当手段は、
前記パケット再送手段が前記パケットを再送信する際に、
再送信されるパケットと同一のパケットが以前に使用したサブチャネル数と同一の数のサブチャネルを新たに割り当て、かつ
再送信されるパケットと同一のパケットが以前に使用したサブチャネルとは異なるサブチャネルを少なくとも１つ割り当てる
ことを特徴とする請求項８に記載の基地局装置。
【請求項１０】
無線通信装置間で１つ又は複数の通信チャネルを用いて時分割多重通信方式でパケット通信を行う無線通信方法において、
受信したパケットに誤りが含まれることを検出し再送信を要求する再送要求ステップと、
前記再送信の要求を検出する再送要求検出ステップと、
前記再送要求検出手段が検出した前記再送信の要求に応じてパケットを再送するパケット再送ステップと、
前記パケット再送手段が前記パケットを再送信する際に、誤りが含まれていた前記受信したパケットが使用した通信チャネルとは異なる通信チャネルを用いて再送信を行うよう前記通信チャネルを割り当てるチャネル割当ステップと、
を含むことを特徴とする無線通信方法。
【発明の詳細な説明】
【技術分野】
【０００１】
本発明は、無線通信システム、基地局装置及び無線通信方法に関する。
【背景技術】
【０００２】
近年、ＴＤＭＡ(Time Division Multiple Access)/ＴＤＤ(Time Division Duplex)に加えてＯＦＤＭＡ(Orthogonal Frequency Division Multiple Access）方式を多元接続技術として採用してパケット通信を行う無線通信システムが次世代のブロードバンド移動体通信システムとして注目されている。
【０００３】
このような次世代のブロードバンド移動体通信システムでは、高い通信速度を維持するために、無線区間で生じたパケット誤りを短い制御遅延時間で効率的に補償する自動再送制御方式としてＨ−ＡＲＱ（Hybrid−Automatic Repeat reQuest）が採用される。以下、このＨ−ＡＲＱに関する基地局及び無線通信端末の動作について説明する。なお、以下では、基地局を送信側、無線通信端末を受信側とし、また、Ｈ−ＡＲＱとしてパケット合成型Type１法（Chase合成法）を例示して説明する。
【０００４】
まず、無線通信端末は、基地局から受信した受信パケットを誤り訂正復号処理した後、受信パケットに付加されているＣＲＣ(Cyclic Redundancy Check)符号により、受信パケットの誤り検出を行う。ここで、受信パケットに誤りが検出された場合、無線通信端末は、誤りの検出された受信パケットを内部に設けられた受信バッファに保存し、基地局に対して再送要求信号（ＮＡＣＫ: Negative ACKnowledgement）を制御チャネルを介して送信する。基地局は、上記ＮＡＣＫ信号を受信した場合、再送要求されたパケット（つまり誤りの検出された受信パケットと同一パケット）を所定のタイミングで無線通信端末に再送する。
【０００５】
そして、無線通信端末は、再送パケットと受信バッファに保存された前回の受信パケット（誤りが検出されたパケット）との最大比合成を行い、当該最大比合成した再送パケットを誤り訂正復号処理した後、上記と同様にＣＲＣ符号により誤り検出を行う。ここで、再び再送パケットに誤りが検出された場合、上記と同様な動作が無線通信端末と基地局間で行われる。具体的には、再び再送パケットに誤りが検出された場合、最初の受信パケットと１回目の再送パケットとの最大比合成データが受信バッファに保存され、２回目の再送パケットを受信した際には、上記最大比合成データと２回目の再送パケットとの最大比合成が行われる。なお、無線通信端末は、受信パケットや再送パケットにＣＲＣ符号誤りが検出されなかった場合、制御チャネルを用いてＡＣＫ（ACKnowledgement）信号を基地局に送信し、基地局は、当該ＡＣＫ信号を受信すると次のパケットを無線通信端末に送信する。
【０００６】
このようなＨ−ＡＲＱによると、前回誤りの検出された受信パケットと再送パケットとの最大比合成を行うため、利得の高い受信信号を得ることができ、その結果、受信信号の希望波ＳＩＮＲ(Signal to Interference and Noise Ratio)が向上するので、効果的にパケット誤りを補償することができる。
【特許文献１】特開２００３−３１９４６４号公報
【発明の開示】
【発明が解決しようとする課題】
【０００７】
ところで、上記のようなＨ−ＡＲＱによる再送制御では、受信側においてＣＲＣ誤りが検出されたパケットと再送パケットとの最大比合成を行うため、再送パケットは前回送信したパケットと同一の周波数帯域幅及び同一の伝送レートの変調方式を使用して送信する必要がある。
【０００８】
しかしながら、ＯＦＤＭＡ等のマルチキャリア通信のように、基地局がQoS（Quality Of Service）や通信品質に応じて、無線通信端末に割り当てる周波数帯域や変調方式等を適応的に割り当てる機能を備える場合、周波数帯域は複数の無線通信端末で共有しているため、再送パケットの送信時に前回送信したパケットと同一の周波数帯域幅を確保できるとは限らない（変調方式は任意に割り当てることができる）。よって、前回送信したパケットとは異なる周波数帯域幅を使用して再送パケットを送信した場合、正常にＨ−ＡＲＱが機能しないという問題がある。
【０００９】
本発明は、上述した事情に鑑みてなされたものであり、周波数帯域を複数の無線通信端末で共有している場合であっても、正常にＨ−ＡＲＱを機能させることを目的とする。
【課題を解決するための手段】
【００１０】
上記目的を達成するために、本発明では、無線通信システムに係る第１の解決手段として、無線通信装置間で１つ又は複数の通信チャネルを用いて時分割多重通信方式でパケット通信を行う無線通信システムにおいて、受信したパケットに誤りが含まれることを検出し再送信を要求する再送要求手段と、前記再送信の要求を検出する再送要求検出手段と、前記再送要求検出手段が検出した前記再送信の要求に応じてパケットを再送するパケット再送手段と、前記パケット再送手段が前記パケットを再送信する際に、誤りが含まれていた前記受信したパケットが使用した通信チャネルとは異なる通信チャネルを用いて再送信を行うよう前記通信チャネルを割り当てるチャネル割当手段とを備えることを特徴とする。
【００１１】
また、本発明では、無線通信システムに係る第２の解決手段として、上記第１の解決手段において、前記通信チャネルは、通信に用いる周波数帯域を複数のサブキャリアからなるサブチャネル単位で取り扱うＯＦＤＭＡ方式に用いるサブチャネルであることを特徴とする。
【００１２】
また、本発明では、無線通信システムに係る第３の解決手段として、上記第２の解決手段において、前記チャネル割当手段は、前記パケット再送手段が前記パケットを再送信する際に、誤りが含まれていた前記受信したパケットが使用したサブチャネル数と同一の数のサブチャネルを新たに割り当てることを特徴とする。
【００１３】
また、本発明では、無線通信システムに係る第４の解決手段として、上記第３の解決手段において、前記チャネル割当手段は、前記パケット再送手段が前記パケットを再送信する際に、誤りが含まれていた前記受信したパケットが使用したサブチャネル数と同一の数のサブチャネルを新たに割り当て、かつ誤りが含まれていた前記受信したパケットが使用したサブチャネルとは異なるサブチャネルを少なくとも１つ割り当てることを特徴とする。
【００１４】
また、本発明では、無線通信システムに係る第５の解決手段として、無線通信装置間で周波数帯域を適応的に割り当てるマルチキャリア通信方式を用いて時分割多重通信方式でパケット通信を行う無線通信システムにおいて、受信したパケットに誤りが含まれることを検出し再送信を要求する再送要求手段と、前記再送信の要求を検出する再送要求検出手段と、前記再送要求検出手段が検出した前記再送信の要求に応じてパケットを再送するパケット再送手段と、前記パケット再送手段が前記パケットを再送信する際に、誤りが含まれていた前記受信したパケットが使用した周波数帯域幅と同じ周波数帯域幅を用いて再送信を行うよう前記周波数帯域を割り当てる帯域割当手段とを備えることを特徴とする。
【００１５】
一方、本発明では、基地局装置に係る第１の解決手段として、無線通信端末に対し１つ又は複数の通信チャネルを用いて時分割多重通信方式でパケット通信を行う基地局装置において、前記無線通信端末が要求する再送要求を検出する再送要求検出手段と、前記再送要求検出手段が検出した再送要求に応じてパケットを再送するパケット再送手段と、前記パケット再送手段が前記パケットを再送信する際に、再送信されるパケットと同一のパケットが以前に使用した通信チャネルとは異なる通信チャネルを用いて再送信を行うよう通信チャネルを割り当てるチャネル割当手段とを備えることを特徴とする。
【００１６】
また、本発明では、基地局装置に係る第２の解決手段として、上記第１の解決手段において、前記通信チャネルは、通信に用いる周波数帯域を複数のサブキャリアからなるサブチャネル単位で取り扱うＯＦＤＭＡ方式に用いるサブチャネルであることを特徴とする。
【００１７】
また、本発明では、基地局装置に係る第３の解決手段として、上記第２の解決手段において、前記チャネル割当手段は、前記パケット再送手段が前記パケットを再送信する際に、再送信されるパケットと同一のパケットが以前に使用したサブチャネル数と同一の数のサブチャネルを新たに割り当てることを特徴とする。
【００１８】
また、本発明では、基地局装置に係る第４の解決手段として、上記第３の解決手段において、前記チャネル割当手段は、前記パケット再送手段が前記パケットを再送信する際に、再送信されるパケットと同一のパケットが以前に使用したサブチャネル数と同一の数のサブチャネルを新たに割り当て、かつ再送信されるパケットと同一のパケットが以前に使用したサブチャネルとは異なるサブチャネルを少なくとも１つ割り当てることを特徴とする。
【００１９】
さらに、本発明では、無線通信方法に係る解決手段として、無線通信装置間で１つ又は複数の通信チャネルを用いて時分割多重通信方式でパケット通信を行う無線通信方法において、受信したパケットに誤りが含まれることを検出し再送信を要求する再送要求ステップと、前記再送信の要求を検出する再送要求検出ステップと、前記再送要求検出手段が検出した前記再送信の要求に応じてパケットを再送するパケット再送ステップと、前記パケット再送手段が前記パケットを再送信する際に、誤りが含まれていた前記受信したパケットが使用した通信チャネルとは異なる通信チャネルを用いて再送信を行うよう前記通信チャネルを割り当てるチャネル割当ステップとを含むことを特徴とする。
【発明の効果】
【００２０】
本発明によれば、パケットの再送時において使用する周波数帯域幅が、前回のパケット送信時の周波数帯域幅と同一となるように、パケットの再送信に使用する周波数帯域を割り当てるので、周波数帯域を複数の無線通信端末で共有している場合であっても、正常にＨ−ＡＲＱを機能させることが可能である。
【発明を実施するための最良の形態】
【００２１】
以下、図面を参照して本発明の一実施形態について詳細に説明する。図１に示す通り、本実施形態の無線通信システムは、基地局ＣＳと無線通信端末ＰＳおよび図示しないネットワークから成り、基地局ＣＳと無線通信端末ＰＳは、時分割多重接続（ＴＤＭＡ）、時分割複信（ＴＤＤ）に加えて直交周波数分割多重接続（ＯＦＤＭＡ）を多元接続技術として通信を行うものである。基地局ＣＳは、一定の距離間隔で複数設けられ、複数の無線通信端末ＰＳと多重接続を行い無線通信を行う。以下、基地局ＣＳが送信側、無線通信端末ＰＳが受信側の場合を例示して説明する。
【００２２】
周知のようにＯＦＤＭＡとは、直交関係にある全てのサブキャリアを全無線通信端末ＰＳで共有し、任意の複数のサブキャリアの集まりを１つのグループとして位置づけ、各無線通信端末ＰＳに１つ又は複数のグループを適応的に割り当てることにより多元接続を実現する技術である。本実施形態の無線通信システムでは、上記したＯＦＤＭＡ技術に、時分割多重接続（ＴＤＭＡ）及び時分割複信（ＴＤＤ）技術をさらに組み合わせている。つまり、各グループをＴＤＤとして時間軸方向に上り回線と下り回線に分け、さらにこれら上り回線と下り回線をそれぞれ４つのＴＤＭＡスロットに分割している。そして、本実施形態においては、各グループが時間軸方向にそれぞれＴＤＭＡスロットとして分割された１つの単位をサブチャネルと呼ぶことにする。図２に本実施形態の無線通信システムにおける周波数とＴＤＭＡスロットとサブチャネルの関係を示す。縦軸は周波数、横軸は時間を示している。図２が示すように、周波数方向２８個、時間軸方向４個（４スロット）を掛け合わせた１１２個のサブチャネルが上り回線用と下り回線用にそれぞれ割り当てられる。
【００２３】
本実施形態の無線通信システムでは、図２に示すように、全サブチャネルのうち周波数方向の一番端のサブチャネル（図２では１番）を制御チャネル（ＣＣＨ）として使用し、残りのサブチャネルをトラフィックサブチャネル（ＴＣＨ）として使用している。そして、無線通信を行う基地局ＣＳと無線通信端末ＰＳには、上り回線と下り回線のそれぞれに属する全トラフィックサブチャネル（この場合、ＣＣＨを除いた２７×４スロットの１０８サブチャネル）のうちから任意の１つ又は複数のトラフィックサブチャネルが割り当てられる。なお、通信チャネルとしての上り回線用及び下り回線用のトラフィックサブチャネルには同じトラフィックサブチャネルが割り当てられる。
【００２４】
図３は、本実施形態における基地局ＣＳの要部構成を示すブロック図である。図３に示すように、基地局ＣＳは、QoS（Quality Of Service）制御部１、スケジューラ２、通信管理部３、帯域割当部４、MAC-PDU(Media Access Control-Protocol Data Unit)構築部５、PHY-PDU(PHYsical-Protocol Data Unit)構築部６、誤り訂正符号化部７、変調部８、送信部９、受信部１０、復調部１１、誤り訂正復号部１２、PHY-PDU解析部１３、再送制御部１４、及びデータ再構築部１５を備えている。また、上記PHY-PDU解析部１３は、H-ARQ応答判定部１３aを備えている。
【００２５】
なお、基地局ＣＳにおいて、QoS（Quality Of Service）制御部１、スケジューラ２、通信管理部３、帯域割当部４、MAC-PDU構築部５、PHY-PDU構築部６、PHY-PDU解析部１３、再送制御部１４、及びデータ再構築部１５は、ＭＡＣ(Media Access Control)層の機能構成要素であり、また、誤り訂正符号化部７、変調部８、送信部９、受信部１０、復調部１１、及び誤り訂正復号部１２は、物理層の機能構成要素である。また、図３では、ＭＡＣ層の上位層における構成については省略する。
【００２６】
QoS制御部１は、上位層で動作するアプリケーションや通信接続される無線通信端末ＰＳのユーザ優先度に基づいて、上位層から入力されるデータ（ペイロード）に優先度を割り当て、当該データからなるパケット（つまりMAC-PDU）の送受信タイミングの割り当てを行うようにスケジューラ２を制御する。
【００２７】
スケジューラ２は、QoS制御部１から入力されるMAC-PDUのフロー制御を行うと共に、上記QoS制御部１の制御の下、通信接続される無線通信端末ＰＳに割り当てられたサービスクラスや、基地局ＣＳと無線通信端末ＰＳ間のパケット（MAC-PDU）の待ち行列の状態に基づいて、送信すべきパケットの送信順序を決定する。また、このスケジューラ２は、再送制御部１４の指示に基づき、再送パケットの送信順序を決定する。通信管理部３は、通信接続される無線通信端末ＰＳ間の通信品質に応じてパケットの符号化レートや変調方式の割り当てを行う。
【００２８】
帯域割当部４は、QoS制御部１からの優先度に関する情報、スケジューラ２からの送信データ量に関する情報や通信可能帯域に関する情報及び上記通信管理部３からの変調方式の情報に基づき、各パケットに対して割り当てるサブチャネルを決定する。このサブチャネルの割当情報はＭＡＰ情報と呼ぶ。また、この帯域割当部４は、パケットの再送信時において、前回のパケット送信時と同一の周波数帯域幅を確保できるサブチャネルを再送パケットの送信時に割り当てる。MAC-PDU構築部５は、上記帯域割当部４を介してスケジューラ２から入力されるパケットにMACヘッダ及びCRC符号を付加してMAC-PDUを構築し、PHY-PDU構築部６に出力する。
【００２９】
PHY-PDU構築部６は、上記スケジューラ２から所定のタイミング（下り回線用スロット）で出力されるMAC-PDUに対し、ＭＡＰ情報や符号化レート及び変調方式等の制御情報を含む物理層ヘッダを付加して、下り回線用つまり無線通信端末ＰＳへ送信するPHY-PDUを構築し、当該PHY-PDUのビット列を誤り訂正符号化部７に出力する。誤り訂正符号化部７は、例えばＦＥＣ（Forward Error Correction）エンコーダであり、 上記通信管理部３によって割り当てられた符号化レートに基づいて、PHY-PDUのビット列に冗長情報である誤り訂正符号を付加し、変調部８に出力する。
【００３０】
図４は、変調部８の概略構成図である。図４に示すように変調部８は、インタリーバ８a、シリアル−パラレル変換部８b、デジタル変調部８c、ＩＦＦＴ（Inverse Fast Fourier Transform）部８d、及びＧＩ(Guard Interval)付加部８eを備えている。
【００３１】
インタリーバ８aは、上記誤り訂正符号化部７によって誤り訂正符号が付加されたPHY-PDUのビット列にインタリーブ処理を施す。シリアル−パラレル変換部８bは、上記インタリーブ処理後のPHY-PDUのビット列を、帯域割当部４によって割り当てられたサブチャネルに含まれるサブキャリア毎にビット単位で分割し、デジタル変調部８cに出力する。デジタル変調部８cは、サブキャリアと同数設けられており、各サブキャリア毎に分割されたビットデータを、当該ビットデータに対応するサブキャリアを用いてデジタル変調し、変調信号をＩＦＦＴ部８dに出力する。なお、各デジタル変調部８cは、上記通信管理部３によって割り当てられた変調方式、例えばＢＰＳＫ（Binary Phase Shift Keying）、ＱＰＳＫ(Quadrature Phase Shift Keying）、１６ＱＡＭ（Quadrature Amplitude Modulation）、６４ＱＡＭ等を用いてデジタル変調を行う。
【００３２】
ＩＦＦＴ部８dは、各デジタル変調部８cから入力される変調信号を逆フーリエ変換して直交多重化することによりＯＦＤＭ信号を生成し、当該ＯＦＤＭ信号をＧＩ付加部８eに出力する。ＧＩ付加部８eは、上記ＩＦＦＴ部８dから入力されるＯＦＤＭ信号にガードインターバル（ＧＩ）を付加して送信部９に出力する。
【００３３】
図３に戻って説明を続ける。送信部９は、上記ＧＩ付加部８eから入力されるＯＦＤＭ信号をＲＦ信号に変換して無線通信端末ＰＳに送信する。受信部１０は、無線通信端末ＰＳから送信されたＲＦ信号を受信し、当該ＲＦ信号をＯＦＤＭ信号に周波数変換して復調部１１に出力する。
【００３４】
復調部１１は、受信部１０から入力されるＯＦＤＭ信号（つまり受信信号）の復調を行う。具体的には、この復調部１１は、上記変調部８に対して逆の処理を行うことで、受信信号の復調を行う。つまり、復調部１１は、まず受信信号からガードインターバルを除去し、ＦＦＴ処理を施すことにより各サブキャリア毎の変調信号に分割した後、各変調信号に対してデジタル復調を行い、当該復調によって得られたビットデータをパラレル−シリアル変換、デインタリーバ処理をしてビット列を再構築する。なお、この再構築されたビット列は、無線通信端末ＰＳから受信したPHY-PDUを示すビット列である。
【００３５】
誤り訂正復号部１２は、例えばＦＥＣデコーダであり、上記復調部１１から入力される受信PHY-PDUのビット列の誤り訂正復号を行い、当該誤り訂正後のビット列をPHY-PDU解析部１３に出力する。PHY-PDU解析部１３は、受信PHY-PDUのビット列を解析して、物理層ヘッダやＭＡＣヘッダに含まれる各種制御情報の抽出やデータ情報であるペイロードの抽出等を行うと共に、MAC-PDUを抽出してデータ再構築部１５に出力する。また、PHY-PDU解析部１３におけるH-ARQ応答判定部１３aは、受信PHY-PDUの解析の結果、当該受信PHY-PDU がＨ−ＡＲＱに関するＡＣＫ信号かＮＡＣＫ信号かを判定し、当該判定結果を再送制御部１４に出力する。
【００３６】
再送制御部１４は、H-ARQ応答判定部１３aの判定結果に基づき、受信PHY-PDU がＨ−ＡＲＱに関するＮＡＣＫ信号であった場合、無線通信端末ＰＳから再送要求のあったパケット（MAC-PDU）をＨ−ＡＲＱ方式で再送するようにスケジューラ２を制御する。また、この再送制御部１４は、H-ARQ応答判定部１３aの判定結果に基づき、受信PHY-PDU がＨ−ＡＲＱに関するＡＣＫ信号であった場合、次のパケット（MAC-PDU）を無線通信端末ＰＳに送信するようにスケジューラ２を制御する。
【００３７】
データ再構築部１５は、PHY-PDU解析部１３から入力されるMAC-PDUの１グループ分の順序整理を行った後、当該１グループ分の各MAC-PDUのＭＡＣヘッダ及びＣＲＣ符号を除去し、上位層用のデータ（ペイロード）を上位層に出力する。
【００３８】
なお、図３は基地局ＣＳとして説明をしたが、無線通信端末ＰＳも基地局ＣＳの構成要素を備えている（従って、特に図示はしていない）。ただし、基地局ＣＳにおけるQoＳ制御部１、スケジューラ２、通信管理部３及び帯域割当部４は、基地局ＣＳ固有の構成要素であって、無線通信端末ＰＳはこれらを備えることはない。その為に、無線通信端末ＰＳが、パケットの再送要求を基地局ＣＳに送信する場合は、再送時に使用するサブチャネル、変調方式及び符号化レートの割り当てが無線通信端末ＰＳに通知される。
【００３９】
次に、上記のように構成された基地局ＣＳの再送時における動作について図５のフローチャートを用いて説明する。なお、以下の説明において、基地局ＣＳを送信側、無線通信端末ＰＳを受信側とし、無線通信端末ＰＳは、基地局ＣＳから受信した受信パケットを誤り訂正復号処理した後、受信パケットに付加されているＣＲＣ符号により受信パケットの誤り検出を行い、ここで受信パケットに誤りが検出された場合を想定して説明する。
【００４０】
無線通信端末ＰＳが、受信パケットに誤り訂正復号を行い、ＣＲＣ符号により受信パケットの誤り検出を行った結果、誤りが検出されると、無線通信端末ＰＳは、ＣＲＣ誤りの検出された受信パケットを内部に設けられた受信バッファに保存し、基地局ＣＳに対して再送要求信号（ＮＡＣＫ信号）を制御チャネル内のＡＣＫチャネルを介して送信する。
【００４１】
基地局ＣＳは、受信部１０を介して上記Ｈ−ＡＲＱに関するＮＡＣＫ信号を無線通信端末ＰＳから受信する（ステップＳ１）。上記ＮＡＣＫ信号は、復調部１１及び誤り訂正復号部１２を介してPHY-PDU解析部１３に入力される。このPHY-PDU解析部１３において、H-ARQ応答判定部１３aは、上記ＮＡＣＫ信号を示す受信PHY-PDUの解析の結果、当該受信PHY-PDU がＨ−ＡＲＱに関するＮＡＣＫ信号であると判定し、当該判定結果を再送制御部１４に出力する。再送制御部１４は、H-ARQ応答判定部１３aの判定結果に基づき、無線通信端末ＰＳから再送要求のあったパケットを再送するようにスケジューラ２に要求する（ステップＳ２）。
【００４２】
一方、帯域割当部４は、再送要求のあったパケットを前回の送信した時に使用したサブチャネルが空いているか否かを判定する（ステップＳ３）。具体的には、帯域割当部４は、図２に示すＭＡＰ情報に基づき、他の無線通信端末ＰＳに前回の送信時に使用したサブチャネルを割り当てていないか否かを判定する。
【００４３】
上記ステップＳ３において、前回の送信時に使用したサブチャネルが空いていた場合（「Yes」）、帯域割当部４は、再送パケットの送信用のサブチャネルとして前回送信時と同一のサブチャネルを割り当てる（ステップＳ４）。
【００４４】
一方、ステップＳ３において、前回送信時に使用したサブチャネルが一つでも空いていなかった場合（「No」）、帯域割当部４は、前回のパケット送信時に使用した周波数帯域幅と同一の周波数帯域幅を確保するように、再送パケットの送信用のサブチャネルの割り当て数を決定する（ステップＳ５）。つまり、前回のパケット送信（つまり誤りが検出されたパケットの送信）に使用したサブチャネルが複数であった場合、帯域割当部４は、前回使用したサブチャネル数と同一の数のサブチャネルを新たに割り当てる。  この際、前回のパケット送信時に使用した周波数帯域幅と同一の周波数帯域幅を確保することができるのならば、前回のパケット送信に使用したサブチャネルとは異なるサブチャネルが少なくとも１つ含まれていても良い。
【００４５】
そして、通信管理部３は、変調方式、符号化レート（変調方式及び符号化レートは前回送信時と同じもの）を割り当て、スケジューラ２は、再送時における再送タイミング（再送フレーム）を決定し、（ステップＳ６）、所定の再送タイミングで再送パケットをPHY-PDU構築部６、誤り訂正符合化部７、変調部８、送信部９を介して無線通信端末ＰＳに送信する（ステップＳ７）。
【００４６】
以上のように、本実施形態では、Ｈ−ＡＲＱの再送時において、前回送信時と同一のサブチャネルを割り当てられなかった場合、前回送信時に使用した周波数帯域幅と同一の周波数帯域幅を確保するように、再送パケットの送信用のサブチャネルの割り当て数を決定する。すなわち、Ｈ−ＡＲＱの再送時に前回送信時に使用した周波数帯域幅と同一の周波数帯域幅を確保することが可能となるため、正常にＨ−ＡＲＱを機能させることが可能となる。
【００４７】
なお、上記実施形態では、時分割多重接続（ＴＤＭＡ）、時分割複信（ＴＤＤ）に加えて直交周波数分割多重接続（ＯＦＤＭＡ）を採用した無線通信システムにおける基地局ＣＳを例示して説明したが、これに限定されず、無線通信装置間で１つ又は複数の通信チャネルを用いて時分割多重通信方式でパケット通信を行う無線通信システムにおける基地局、または無線通信装置間で周波数帯域を適応的に割り当てるマルチキャリア通信方式を用いて時分割多重通信方式でパケット通信を行う無線通信システムにおける基地局であれば本発明を適用することができる。
【図面の簡単な説明】
【００４８】
【図１】本発明の一実施形態における無線通信システムの構成概略図である。
【図２】本発明の一実施形態における無線通信システムのサブチャネル及びスロットの関係を示す模式図である。
【図３】本発明の一実施形態における基地局ＣＳの構成ブロック図である。
【図４】本発明の一実施形態における変調部８の構成ブロック図である。
【図５】本発明の一実施形態における基地局ＣＳの動作フローチャートである。
【符号の説明】
【００４９】
ＣＳ…基地局、ＰＳ…無線通信端末、１…QoS制御部、２…スケジューラ、３…通信管理部、４…帯域割当部、５…MAC-PDU構築部、６…PHY-PDU構築部、７…誤り訂正符号化部、８…変調部、９…送信部、１０…受信部、１１…復調部、１２…誤り訂正復号部、１３…PHY-PDU解析部、１３a…H-ARQ応答判定部、１４…再送制御部、１５…データ再構築部
【図１】
2008067172.tif 000003
【図２】
2008067172.tif 000004
【図３】
2008067172.tif 000005
【図４】
2008067172.tif 000006
【図５】
2008067172.tif 000007